(57)【要約】【課題】扉体の見付け面だけではなく、木口面や角部をも保護でき、かつ簡易に取り付けられる扉ガード部材を提供する。【解決手段】扉ガード部材２０は、扉体１０の表裏一方の見付け面１１の下部を覆う見付け部２１ａと、見付け部２１ａの側端より折曲して延びた、木口面１２の下部を覆う木口部２１ｂとよりなるパネル材２１を、扉体１０の戸先側における表裏のそれぞれ用に備え、それらが扉体１０に固着されるようになっている。パネル材２１は、扉体１２の下部のみに取り付けられるものであり、取り付けられた状態で平面視Ｌ字形状の合成樹脂材より構成され、見付け部２１ａおよび木口部２１ｂの折曲部２１ｃとは反対側の側端が切断可能であって、固着される扉体１０に応じて切断調整される。【選択図】図１
2019015169.tif 000002
【特許請求の範囲】
【請求項１】
扉体の表裏一方の見付け面の下部を覆う見付け部と、該見付け部の側端より折曲して延びた、前記扉体の木口面の下部を覆う木口部とよりなるパネル材を、前記扉体の戸先側における表裏のそれぞれ用に備え、それらのパネル材が前記扉体に固着されるようになっており、
前記見付け部と前記木口部とが折曲部を介して連続する前記パネル材は、前記扉体の下部のみに取り付けられるものであり、前記扉体に取り付けられた状態で平面視Ｌ字形状の合成樹脂材より構成され、前記見付け部および前記木口部の前記折曲部とは反対側の側端が切断可能であって、前記固着される扉体に応じて切断調整されるものであることを特徴とする扉ガード部材。
【請求項２】
請求項１において、
前記扉体の下部のみに取り付けられる前記パネル材は、その下端を前記扉体の下端に一致させて固着されるものであって、その高さ寸法が２００ｍｍ〜３００ｍｍであることを特徴とする扉ガード部材。
【請求項３】
請求項１または２において、
前記パネル材は、その厚さ寸法が０．５〜２ｍｍであって切断可能なものであることを特徴とする扉ガード部材。
【請求項４】
請求項１〜３のいずれか一項において、
前記木口面に配した前記木口部を覆い隠す端部部材をさらに備えたことを特徴とする扉ガード部材。
【発明の詳細な説明】
【技術分野】
【０００１】
本発明は、扉体の下部を覆う扉ガード部材に関する。
【背景技術】
【０００２】
病院、高齢者施設などの建物に設けられた引戸や開き戸、折れ戸などの扉体の表裏の見付け面には、車椅子が衝突したり接触したりすることが多く、そのため扉体の下部には傷や汚れが付きやすい。折れ戸の場合、側端縁が開放されているほうの扉体が特に傷つきやすい。このような衝突から扉体を保護するために、従来では扉体の見付け面の下部にパネル材を取り付けることが提案されている（たとえば、特許文献１参照）。
【先行技術文献】
【特許文献】
【０００３】
【特許文献１】実開平６−４０２８８号公報
【発明の概要】
【発明が解決しようとする課題】
【０００４】
しかしながら、上記特許文献のものや、従来の多くの扉ガード部材は扉体の見付け面のみを覆う構成となっており、木口面や角部については保護対策がほとんど採られていない。特に、病院などの半自動の引き戸では、自動的に閉まる際に、車椅子や杖、靴などの木口面や角部への衝突が発生する可能性はきわめて高い。
【０００５】
本発明は、このような事情を考慮して提案されたものであって、その目的は、扉体の見付け面だけではなく、木口面や角部をも保護でき、かつ簡易に取り付けられる扉ガード部材を提供することにある。
【課題を解決するための手段】
【０００６】
上記目的を達成するために、本発明の扉ガード部材は、扉体の表裏一方の見付け面の下部を覆う見付け部と、見付け部の側端より折曲して延びた、扉体の木口面の下部を覆う木口部とよりなるパネル材を、扉体の戸先側における表裏のそれぞれ用に備え、それらのパネル材が扉体に固着されるようになっており、見付け部と木口部とが折曲部を介して連続するパネル材は、扉体の下部のみに取り付けられるものであり、扉体に取り付けられた状態で平面視Ｌ字形状の合成樹脂材より構成され、見付け部および木口部の折曲部とは反対側の側端が切断可能であって、固着される扉体に応じて切断調整されるものであることを特徴とする。
【発明の効果】
【０００７】
本発明の扉ガード部材によれば、上述の構成となっているため、扉体の見付け面のみならず木口面や角部をも保護することができ、かつ扉ガード部材自体を簡易に取り付けることができる。
【図面の簡単な説明】
【０００８】
【図１】本発明の一実施形態に係る扉ガード部材の説明図である。（ａ）は扉ガード部材の取付態様を模式的に示した部分斜視図、（ｂ）はパネル材の拡大平面図、（ｃ）は端部部材の拡大平面図である。
【図２】（ａ）（ｂ）は扉ガード部材の取付手順を示す、扉体の一部を省略した拡大横断面図である。
【図３】（ａ）パネル材の他の例を示す概略斜視図、（ｂ）はパネル材の取り付け状態を示す拡大縦断面図である。
【図４】（ａ）は扉ガード部材が取り付けられる折れ戸の概略正面図、（ｂ）は同平面図である。
【発明を実施するための形態】
【０００９】
以下に、本発明の一実施形態に係る扉ガード部材の例について、添付図面をもとに説明する。まず、概略基本構成について説明する。
【００１０】
扉ガード部材２０は、扉体１０の表裏一方の見付け面１１の下部を覆う見付け部２１ａと、見付け部２１ａの側端より折曲して延びた、扉体１０の木口面１２の下部を覆う木口部２１ｂとよりなるパネル材２１を、扉体１０の表裏のそれぞれ用に備えている。それらのパネル材２１は、扉体１０、１０Ａに固着されるようになっている（以上、図１〜図４参照）。
【００１１】
この扉ガード部材２０によれば、扉体１０、１０Ａの見付け面１１のみならず木口面１２や角部１３をも保護することができる。また、この扉ガード部材２０によれば、扉ガード部材２０を扉体１０、１０Ａに対して簡易な手順で取り付けることができる。
【００１２】
この扉ガード部材２０が取り付けられる扉体１０、１０Ａとしては、開き戸や引き戸、折れ戸（図４参照）など種々のものが含まれる。
【００１３】
ついで、扉体１０、１０Ａに取り付ける扉ガード部材２０について、その詳細を図１〜図３にもとづいて説明する。
【００１４】
本実施形態に用いられる図１に示した扉体１０は、図１（ａ）に示すように、見付け面１１の四周部に枠部１５、１５、１５が配され、中央の２つの窓部１６、１６に透明材または半透明材が嵌め入れられた引き戸である。
【００１５】
この扉体１０の下側に配された枠部１５の戸先部分の表裏には、表裏それぞれ用に２枚のパネル材２１、２１が取り付けられている。表裏のパネル材２１、２１はともに、図１（ｂ）に示すように平面視でＬ字形状とされ、扉体１０の枠部１５の表面を覆う見付け部２１ａと、その見付け部２１ａの一方の側端から折曲して延びた、木口面１２を覆う木口部２１ｂとを備えている。扉体１０の木口面１２には、両パネル材２１、２１の木口部２１ｂ、２１ｂが、木口面１２の約半分の幅を覆うように隣り合って配され、さらにその上に端部部材２２がビス２６、２６、２６で固定されるようになっている（図１（ａ）および図２（ａ）（ｂ）参照）。
【００１６】
このパネル材２１は、扉体１０に対して両面テープ２５、２５、２５で貼り付けられている。図１（ａ）に示すように、パネル材２１の周縁部に両面テープ２５、２５、２５を取り付けて、見付け面１１に貼り付けるようにすればよい。両面テープ２５に代えて、芯体と、割り溝を有した枠体とよりなるプッシュリベット２７（図３参照）や釘、ビスなどの固定具を用いてもよいし、プッシュリベット２７と両面テープ２５とを併用してもよい。プッシュリベット２７を用いて取り付けるパネル材２１については、図３にて後述する。
【００１７】
２枚のパネル材２１、２１は、扉体１０の表裏に取り付けるため、図１（ｂ）に示すように、その平面視形状は対称的なＬ字形状とされるが、それらは個別のものでもよいし、同一種類のものを相互に上下反転して利用できるようにしたものでもよい。
【００１８】
このパネル材２１は透明、半透明のものでもよいし、表面に色、模様が施されたものでもよい。また、パネル材２１は硬質な合成樹脂材より構成されていることが望ましい。また、本図例のものは、見付け部２１ａと木口部２１ｂとの折曲部２１ｃがアール加工されている。
【００１９】
パネル材２１（の見付け部２１ａ）の幅寸法については、特に限定はない。図１（ａ）に示すように、損傷しやすい戸先側の数百ｍｍ程度の幅寸法とすることが望ましいが、幅寸法がさらに小さいものでも、扉体１０の全見付け寸法に合致するようなものであってもよい。
【００２０】
パネル材２１の木口部２１ｂの幅寸法は、扉体１０の木口面１２の約半分かそれ以下の寸法程度であればよいが、種々の厚みの扉体１０を想定して、やや大きめの幅寸法の木口部２１ｂを有したパネル材２１を準備することが望ましい。図１（ｂ）に示すように、現場などで扉体１０の厚みに合わせて、木口部２１ｂの先端部を切断して利用すればよい。もちろん、パネル材２１の見付け部２１ａについても、一方の側端は木口部２１ｂが連成されていないため、切断して利用することが可能である。
【００２１】
また、パネル材２１の高さ寸法は、扉体１０において損傷しやすい下部に取り付けることを考慮して、２００ｍｍ〜３００ｍｍ程度とすることが望ましい。図１（ａ）に示した扉体１０に取り付ける場合、美感を考慮すれば、パネル材２１の高さ寸法を扉体１０の下側の枠部１５の高さ寸法に合わせたものを、下端を一致させて取り付けることが望ましい。
【００２２】
パネル材２１の厚さ寸法は、約０．５ｍｍ〜２ｍｍ程度とすることが望ましく、約０．５ｍｍ〜１．５ｍｍ程度とすることがさらに望ましい。最も望ましい厚みは１ｍｍ程度である。このような薄さのパネル材２１であれば、上述した木口部２１ｂの切断も容易にできる。
【００２３】
一方、端部部材２２としては、木口面１２の幅寸法に合致した矩形の硬質な合成樹脂あるいは金属の板状体が用いられる。なお、木口面１２の表面側には両木口部２１ｂ、２１ｂの継ぎ目が表れるため、端部部材２２が合成樹脂製とする場合は、美感を考慮して、木口部２１ｂ、２１ｂや継ぎ目が透けて見えない不透明なものを用いることが望ましい。端部部材２２の厚さ寸法は、扉体１０の開閉に支障がないように、２ｍｍ以下とすることが望ましい。また、端部部材２２の幅方向の中央の上下方向の３箇所には、ビス孔２２ａ、２２ａ、２２ａが開設されている。
【００２４】
このような扉ガード部材２０によれば、パネル材２１の平面視形状がＬ字形状であるため、対象とする扉体１０の見付け寸法、厚みによらず、同一のものを切断調整などをして使用することができ、現場での取り付けをしやすくできる。
【００２５】
また、パネル材２１がＬ字形状であるため、扉体１０の下部における、一方の見付け面１１、一方の木口面１２、他方の見付け面１１、および見付け面１１と木口面１２との間の角部１３を、２枚のパネル材２１、２１を用いて保護することができる。本図例のように、戸先側に２枚のパネル材２１、２１を取り付ければ、人の出入りで最も傷つきやすい扉体１０の戸先部分を保護することができる。もちろん、パネル材２１を戸尻側にも取り付けてもよい。
【００２６】
また、戸先、戸尻の両木口面１２を１つのパネル材２１で保護できるように、パネル材２１はその幅方向の両端に木口部２１ｂを有したものであってもよい。見付け寸法が約９００ｍｍの一般的な扉体１０に対応した同寸法の見付け部２１ａと、２つの木口部２１ｂとを有したパネル材２１を形成しておけば、扉体１０に対して、パネル材２１を嵌着により簡単に無理なく取り付けることができる。
【００２７】
さらに、本実施形態のパネル材２１はＬ字形状であるため、木口部２１ｂを木口面１２に引っ掛けるようにして取り付けることで横方向の位置合わせをする必要がなく、取り付けを容易にできる。
【００２８】
また、両パネル材２１、２１による２つの木口部２１ｂ、２１ｂで１つの木口面１２を半分ずつ覆うようになっているので、木口面１２において２枚重ねをする必要がなく、そのため木口面１２が厚く膨らむおそれがない。もちろん、パネル材２１が薄めの材料で形成されている場合は、木口面１２において２つの木口部２１ｂ、２１ｂを重ねるように配してもよい。
【００２９】
また、木口面１２に配した木口部２１ｂ、２１ｂを端部部材２２で覆い隠すようになっているので、不透明な端部部材２２を用いれば木口部２１ｂ、２１ｂ間の継ぎ目が露出することを防止できる。さらに、端部部材２２により木口部２１ｂ、２１ｂをしっかりと木口面１２に固定することができる。木口部２１ｂ、２１ｂに端部部材２２を重ねるので、損傷を受けやすい木口面１２の保護を強化することもできる。
【００３０】
上述したように、パネル材２１はプッシュリベット２７などの固定具を用いて扉体１０に取り付けるようにしてもよい。図３（ａ）（ｂ）は、固定具による取り付けが可能なパネル材２１の例を示した説明図である。
【００３１】
このパネル材２１は、扉体１０の見付け面１１への取り付けについて、見付け部２１ａの上下では両面テープ２５を用いるようになっているが、見付け部２１ａの両側端ではプッシュリベット２７を用いるようになっている。
【００３２】
具体的には、パネル材２１は、その見付け部２１ａの両側端に、扉体１０に固定するためのプッシュリベット２７やビスなどの固定具が挿通される複数の挿通孔２１ａａ、・・・が各上下１列に形成してある。このパネル材２１、２１は、同形状のものを相互に上下反転状態にして使用され、図３（ａ）のように対向させたときに対応した挿通孔２１ａａ、・・・どうしが重ならないように挿通孔２１ａａ、・・・が形成してある（図３（ｂ）参照）。なお、図３（ｂ）における１０ａは、プッシュリベット２７を固定するための、扉体１０の見付け面１１に設けた面材である。
【００３３】
このように、両パネル材２１、２１には、高さ位置の異なる挿通孔２１ａａ、・・・が形成してあるので、表裏の挿通孔２１ａａ、２１ａａに挿通させるプッシュリベット２７などの固定具が接触することを防止できる（図３（ｂ）参照）。表裏の固定具１２、１２が接触しないようにする必要があるため、表裏の挿通孔１１、１１は相互に重なる部位がなく、孔全体が上下方向において重ならないように離れていることが望ましい。
【００３４】
ついで、扉ガード部材２０の折れ戸に対する取付態様について、図４を参照して説明する。
【００３５】
図４（ａ）（ｂ）に示した折れ戸は、２枚一組の扉体１０Ａ、１０Ｂを相互に回動可能に連結させてドア枠に取り付けてなる折れ戸ドア３０である。この折れ戸ドア３０は、たとえば高齢者施設や一般住戸、車椅子用の公衆トイレなどに使用される。
【００３６】
この折れ戸ドア３０の幅寸法の小さいほうの扉体１０Ｂは、一方の側端縁が一方（図４の右側）の縦枠４１側にヒンジ結合され、他方の側端縁が幅寸法の大きいほうの扉体１０Ａの一方の側端縁と上下に設けた連結材３１にて相互に回動可能に連結されている。上下の連結材３１には、相互に噛み合った１組のギア（不図示）が内装されている。
【００３７】
幅寸法の大きいほうの扉体１０Ａの他方の側端縁（図４（ａ）（ｂ）各図における左の側端縁）は開放されており、２枚の扉体１０Ａ、１０Ｂの折り畳みにより折れ戸ドア３０が開くようになっている。なお、２枚の扉体１０Ａ、１０Ｂの相互に連結される各側端縁は、相互に回転しやすいように平面視で湾曲状に形成されている（図４（ｂ）参照）。
【００３８】
パネル材２１は、図４（ａ）（ｂ）に示したように、幅寸法の大きい扉体１０Ａ（以下、たんに扉体１０Ａという）の表裏の見付け面１１、１１の戸先側に取り付けられ、さらに木口面１２には木口部２１ｂの上から端部部材２２が取り付けられている。
【００３９】
このような折れ戸ドア３０の扉体１０Ａは、その移動が回転、スライドの両方であるため、人などとの接触の可能性が高い。そのため、本扉ガード部材２０は保護材として有効に作用する。既設の折れ戸ドア３０に対する扉ガード部材２０の取り付けも、パネル材２１がＬ字形状であるため、上述したように簡易に行える。
【００４０】
なお、このような折れ戸ドア３０の場合、一方の見付け面１１は戸尻側部分であっても、図４（ｂ）に例示したように人などと接触しやすい状況になるため、図例のように幅寸法の大きい見付け部２１ａを有したパネル材２１を取り付けることが望ましい。また、図例のように、表裏のパネル材２１、２１の幅寸法を異ならせてもよい。
【符号の説明】
【００４１】
１０              扉体
１０Ａ、１０Ｂ    （折れ戸ドアの）扉体
１１              見付け面
１２              木口面
２０              扉ガード部材
２１              パネル材
２１ａ            見付け部
２１ｂ            木口部
２１ｃ            折曲部
２２              端部部材
【図１】
2019015169.tif 000003
【図２】
2019015169.tif 000004
【図３】
2019015169.tif 000005
【図４】
2019015169.tif 000006